(57)【要約】【課題】入力された検索キーワードの使用回数に基づいて、トレンド情報を把握し易くする。【解決手段】本発明は、ユーザがキーワード検索で入力した検索キーワードを収集し、検索キーワードログとして記憶し、検索キーワードを読み出して、検索キーワードの利用状況を反映した第１の評価値と第２の評価値を求め、カテゴリ体系に基づいて、検索キーワードが属するカテゴリを求め、カテゴリ別に第１の評価値の上位ｓ件と、第２の評価値の上位ｎ−ｓ件の検索キーワードをカテゴリの表示領域に表示する。【選択図】      図１
2004362451.tif 000002
【特許請求の範囲】
【請求項１】
キーワード検索によって入力された検索キーワードの使用回数を視覚化する検索キーワード情報表示方法において、
ユーザがキーワード検索で入力した検索キーワードを収集し、検索キーワードログとして記憶手段に格納し、
前記記憶手段から検索キーワードログを読み出して、該検索キーワードの利用状況を反映した第１の評価値と第２の評価値を求め
予め用意された特定のカテゴリに分類するためのカテゴリ体系に基づいて、前記検索キーワードが属するカテゴリを求め、
前記検索キーワードのカテゴリ別に、前記第１の評価値の上位ｓ件と、前記第２の評価値の上位（ｎ−ｓ）件を該カテゴリの表示領域に表示することを特徴とする検索キーワード情報表示方法。
【請求項２】
前記第１の評価値を検索キーワードの総件数とし、前記第２の評価値を該検索キーワードの利用状況の変動値とし、
前記カテゴリに属する検索キーワードの全容を表示する詳細表示と、各カテゴリの代表キーワードを表示する代表表示において、前記第１の評価値及び前記第２の評価値に基づいて前記検索キーワードを表示する請求項１記載の検索キーワード情報表示方法。
【請求項３】
前記第１の評価値及び前記第２の評価値を基準として、前記検索キーワードの文字の大きさや色、フォントを含む文字属性やアイコン表示で識別表示する請求項１又は、２記載の検索キーワード情報表示方法。
【請求項４】
キーワード検索によって入力された検索キーワードの使用回数を視覚化する検索キーワード情報表示システムであって、
ユーザがキーワード検索で入力した検索キーワードを収集し、検索キーワードログとして記憶手段に格納する検索キーワードログ情報処理手段と、
前記記憶手段から検索キーワードログを読み出して、該検索キーワードの利用状況を反映した第１の評価値と第２の評価値を求める評価値算出手段と、
予め用意された検索キーワードを特定のカテゴリに分類するためのカテゴリ体系に基づいて、前記検索キーワードが属するカテゴリを求めるカテゴリ分類手段と、
前記カテゴリ分類手段で求められた前記検索キーワードのカテゴリ別に、前記第１の評価値の上位ｓ件と、前記第２の評価値の上位（ｎ−ｓ）件を該カテゴリの表示領域に表示する表示制御手段と、を有することを特徴とする検索キーワード情報表示システム。
【請求項５】
前記評価値算出手段は、
前記第１の評価値を検索キーワードの総件数とし、前記第２の評価値を該検索キーワードの利用状況の変動値とし、
前記表示制御手段は、
前記カテゴリに属する検索キーワードの全容を表示する詳細表示と、各カテゴリの代表キーワードを表示する代表表示において、前記第１の評価値及び前記第２の評価値に基づいて前記検索キーワードを表示する手段を含む請求項４記載の検索キーワード情報表示システム。
【請求項６】
前記表示制御手段は、
前記第１の評価値及び前記第２の評価値を基準として、前記検索キーワードの文字の大きさや色、フォントを含む文字属性やアイコン表示で識別表示する手段を含む請求項４又は、５記載の検索キーワード情報表示システム。
【請求項７】
キーワード検索によって入力された検索キーワードの使用回数を視覚化する検索キーワード情報表示プログラムであって、
ユーザがキーワード検索で入力した検索キーワードを収集し、検索キーワードログとして記憶手段に格納する検索キーワードログ情報処理ステップと、
前記記憶手段から検索キーワードログを読み出して、該検索キーワードの利用状況を反映した第１の評価値と第２の評価値を求める評価値算出ステップと、
予め用意された検索キーワードを特定のカテゴリに分類するためのカテゴリ体系に基づいて、前記検索キーワードが属するカテゴリを求めるカテゴリ分類ステップと、
前記カテゴリ分類ステップで求められた前記検索キーワードのカテゴリ別に、前記第１の評価値の上位ｓ件と、前記第２の評価値の上位（ｎ−ｓ）件を該カテゴリの表示領域に表示する表示制御ステップと、をコンピュータに実行させることを特徴とする検索キーワード情報表示プログラム。
【請求項８】
前記評価値算出ステップは、
前記第１の評価値を検索キーワードの総件数とし、前記第２の評価値を該検索キーワードの利用状況の変動値とし、
前記表示制御ステップは、
前記カテゴリに属する検索キーワードの全容を表示する詳細表示と、各カテゴリの代表キーワードを表示する代表表示において、前記第１の評価値及び前記第２の評価値に基づいて、前記検索キーワードを表示するステップを含む請求項７記載の検索キーワード情報表示プログラム。
【請求項９】
前記表示制御ステップは、
前記第１の評価値及び前記第２の評価値を基準として、前記検索キーワードの文字の大きさや色、フォントを含む文字属性やアイコン表示で識別表示するステップを含む請求項７又は、８記載の検索キーワード情報表示プログラム。
【発明の詳細な説明】
【０００１】
【発明の属する技術分野】
本発明は、検索キーワード情報表示方法及びシステム及び検索キーワード情報表示プログラムに係り、例えば、音楽や映画、ニュース記事、Ｗｅｂ文書といったマルチメディアコンテンツ（以降、コンテンツと略記する）をインターネット等のネットワークを介し、一般ユーザへ配信する配信サービスや、各種のホームページを紹介するポータルサービスなどに設置し、これらのサービスを利用しているユーザに、キーワード検索によって入力された検索キーワードの使用回数を視覚化する検索キーワード情報表示方法及びシステム及び検索キーワード情報表示プログラムに関する。
【０００２】
【従来の技術】
従来、インターネットなどのネットワーク上で公開されているコンテンツを検索する手段として、キーワード検索が利用されている。ユーザによって入力されたキーワード自体がユーザのニーズを表しているものとみなし、これをトレンドの指標として、入力された全検索キーワード毎の利用回数を１週間単位で集計し、一般のユーザへリスト形式で公開することで、現在どの事象に世の中の関心が集まっているかといったトレンド情報を提供する技術がある（例えば、非特許文献１参照）。
【０００３】
【非特許文献１】
ｈｔｔｐ：／／ｗｗｗ．ｌｙｃｏｓ．ｃｏ．ｊｐ／５０／
【０００４】
【発明が解決しようとする課題】
しかしながら、上記従来の技術では、多数のユーザによって入力された検索キーワードが単純に羅列されたリスト形式で表示されているため、それぞれの検索キーワード間の関連性を把握することが難しいといった問題がある。
【０００５】
また、トレンド情報として表示する検索キーワードの数が増加するにつれ、１つの表示画面内には収まりきらなくなるため、必然的に画面を上下もしくは左右にスクロールさせる必要があり、トレンド情報として表示されている検索キーワードからユーザが興味を持った検索キーワードを探し出す負担が増加する、画面を上限もしくは左右にスクロールさせる手間がかかるといったことのため、途中でトレンド情報としての検索キーワードを探し出すことをあきらめてしまうという問題がある。
【０００６】
本発明は、上記の点に鑑みなされたもので、膨大な数の検索キーワードをそれぞれの関連性を保持した２次元マップ上に配置することにより、一覧性を確保し、また、同時にトレンド情報の表現として、キーワードの利用状況に応じ検索キーワードの表示方法を変化させることにより、トレンド情報を把握し易くすることが可能な検索キーワード情報表示方法及びシステム及び検索キーワード情報表示プログラムを提供することを目的とする。
【０００７】
【課題を解決するための手段】
図１は、本発明の原理を説明するための図である。
【０００８】
本発明は、キーワード検索によって入力された検索キーワードの使用回数を視覚化する検索キーワード情報表示方法において、
ユーザがキーワード検索で入力した検索キーワードを収集し（ステップ１）、検索キーワードログとして記憶手段に格納し（ステップ２）、
前記記憶手段から検索キーワードログを読み出して（ステップ３）、該検索キーワードの利用状況を反映した第１の評価値と第２の評価値を求め（ステップ４）、
予め用意された特定のカテゴリに分類するためのカテゴリ体系に基づいて、検索キーワードが属するカテゴリを求め（ステップ５）、
検索キーワードのカテゴリ別に、第１の評価値の上位ｓ件と、第２の評価値の上位（ｎ−ｓ）件を該カテゴリの表示領域に表示する（ステップ６）。
【０００９】
本発明は、第１の評価値を検索キーワードの総件数とし、第２の評価値を該検索キーワードの利用状況の変動値とし、
カテゴリに属する検索キーワードの全容を表示する詳細表示と、各カテゴリの代表キーワードを表示する代表表示において、第１の評価値及び第２の評価値に基づいて検索キーワードを表示する。
【００１０】
本発明は、第１の評価値及び第２の評価値を基準として、検索キーワードの文字の大きさや色、フォントを含む文字属性やアイコン表示で識別表示する
図２は、本発明の原理構成図である。
【００１１】
本発明は、キーワード検索によって入力された検索キーワードの使用回数を視覚化する検索キーワード情報表示システムであって、
ユーザがキーワード検索で入力した検索キーワードを収集し、検索キーワードログとして記憶手段１１６に格納する検索キーワードログ情報処理手段１０７と、
記憶手段１１６から検索キーワードログを読み出して、該検索キーワードの利用状況を反映した第１の評価値と第２の評価値を求める評価値算出手段１０８と、
予め用意された検索キーワードを特定のカテゴリに分類するためのカテゴリ体系に基づいて、検索キーワードが属するカテゴリを求めるカテゴリ分類手段１１８と、
カテゴリ分類手段１１８で求められた検索キーワードのカテゴリ別に、第１の評価値の上位ｓ件と記第２の評価値の上位（ｎ−ｓ）件を該カテゴリの表示領域に表示する表示制御手段１１３と、を有する。
【００１２】
また、本発明の評価値算出手段１０８は、
第１の評価値を検索キーワードの総件数とし、第２の評価値を該検索キーワードの利用状況の変動値とし、
表示制御手段１１３は、
カテゴリに属する検索キーワードの全容を表示する詳細表示と、各カテゴリの代表キーワードを表示する代表表示において、第１の評価値及び第２の評価値に基づいて前記検索キーワードを表示する手段を含む。
【００１３】
また、表示制御手段１１３は、
第１の評価値及び第２の評価値を基準として、検索キーワードの文字の大きさや色、フォントを含む文字属性やアイコン表示で識別表示する手段を含む。
【００１４】
本発明は、キーワード検索によって入力された検索キーワードの使用回数を視覚化する検索キーワード情報表示プログラムであって、
ユーザがキーワード検索で入力した検索キーワードを収集し、検索キーワードログとして記憶手段に格納する検索キーワードログ情報処理ステップと、
記憶手段から検索キーワードログを読み出して、該検索キーワードの利用状況を反映した第１の評価値と第２の評価値を求める評価値算出ステップと、
予め用意された検索キーワードを特定のカテゴリに分類するためのカテゴリ体系に基づいて、検索キーワードが属するカテゴリを求めるカテゴリ分類ステップと、
カテゴリ分類ステップで求められた検索キーワードのカテゴリ別に、第１の評価値の上位ｓ件と、第２の評価値の上位（ｎ−ｓ）件を該カテゴリの表示領域に表示する表示制御ステップと、をコンピュータに実行させる。
【００１５】
また、本発明の評価値算出ステップは、
第１の評価値を検索キーワードの総件数とし、
表示制御ステップは、
カテゴリに属する検索キーワードの全容を表示する詳細表示と、各カテゴリの代表キーワードを表示する代表表示において、第１の評価値及び第２の評価値に基づいて前記検索キーワードを表示するステップを含む。
【００１６】
また、本発明の表示制御ステップは、
第１の評価値及び第２の評価値を基準として、検索キーワードの文字の大きさや色、フォントを含む文字属性やアイコン表示で識別表示するステップを含む。
【００１７】
これにより、ユーザはトレンド情報としての検索キーワードとその利用状況を容易に把握することが可能となる。
【００１８】
【発明の実施の形態】
以下、図面と共に、本発明の実施の形態を説明する。
【００１９】
本実施の形態では、ユーザクライアント上でマップ表示される各カテゴリに属する検索キーワードの配置場所を決定する処理と、代表表示時に表示される代表キーワードのカテゴリ内での表示位置を維持した状態で詳細表示とを切り替える処理をユーザクライアント側で行う場合を第１の実施の形態とし、第１の実施の形態のユーザクライアント上でマップ表示される各カテゴリに属する検索キーワードの配置場所を決定する処理と、代表表示時に表示される代表キーワードのカテゴリ内での表示位置を維持した状態で詳細表示とを切り替える処理をサーバ側で行う場合を第２の実施の形態として説明する。
【００２０】
なお、両実施の形態では、以下に説明する第１の評価値を任意の期間における検索キーワードの使用回数の集計値、第２の評価値を任意の期間における検索キーワードの使用回数の増減度合い（以後、急上昇度）として説明する。
【００２１】
また、両実施の形態における想定シーンとしては、ユーザが、トレンド情報としてユーザクライアントに表示される検索キーワード群から「トラベル」カテゴリに属する検索キーワード『京都』を発見し、この『京都』によってキーワード検索を実施する場合を想定するものとする。
【００２２】
［第１の実施の形態］
図３は、本発明の第１の実施の形態におけるシステム構成を示す。
【００２３】
本システムは、コンテンツ及び検索キーワードに対する利用状況を参照するためのユーザクライアント装置（以下、単にユーザクライアントと記す）１０１、コンテンツの実体を提供するコンテンツ提供サーバ１０３、利用状況をユーザクライアント１０１へ提供するための利用状況提供サーバ１０４、キーワード検索を行うための検索エンジン１０５から構成され、これらは、インターネット網１０２を介して接続されている。
【００２４】
但し、これは、インターネット網１０２に限定されるものではなく、ＷＡＮやＬＡＮといった閉じたネットワーク網を利用してもよい。
【００２５】
利用状況提供サーバ１０４は、ユーザクライアント１０１上で表示されている検索キーワード群からユーザによって選択された検索キーワード及び、通常のキーワード検索時に検索エンジンへ入力された検索キーワードとをログ情報として格納する検索キーワードログ情報処理部１０７、任意の期間における検索キーワードの使用回数の集計と急上昇度の算出を行うアクセス情報集計処理部１０８、検索キーワード群をカテゴリ情報に基づき各カテゴリに分類し、分類された各検索キーワード群にユーザクライアント１０１上での表示位置情報と各検索キーワードの使用回数の集計値と急上昇度を付与し、マップ生成用データの生成処理を行う、マップ生成用データ生成部１１０、生成されたマップ生成用データを格納しておくマップ生成用データ格納部１０９、ユーザクライアント１０１との通信処理を行う通信処理部１０６、検索キーワードの属するカテゴリ情報が格納されているカテゴリ情報格納部１１１から構成される。
【００２６】
ユーザクライアント１０１は、コンテンツ提供サーバ１０３とアクセス状況提供サーバ１０４と検索エンジン１０５との通信処理を行う通信処理部１１２、表示画面上に提示するマップないにおける各検索キーワードの配置場所の決定と代表表示／詳細表示の切替処理を行う表示画面制御部１１３と、検索キーワードのマップ表示と検索エンジンからの検索結果とコンテンツ提供サーバ１０３から提供されるコンテンツの画面表示処理を行う画面出力処理１１４、ユーザからの入力操作を受け取る入力処理部１１４から構成される。
【００２７】
まず、本実施の形態におけるマップ生成用データの生成処理について説明する。
【００２８】
検索キーワードログ情報処理部１０７にて、これまでに蓄積されている検索キーワードのログ情報の読み出しを行う。
【００２９】
この処理が終了すると、アクセス情報集計処理部１０８にて、読み出した検索キーワードログ情報の任意の期間における検索キーワード別の使用回数の集計処理と急上昇度の算出を行う。ここで、急上昇度の算出方法として、例えば、集計時ｉにおける検索キーワードの使用回数の集計値Ｃ（ｉ）と、その１つ前の集計時ｉ−１における検索キーワードの使用回数の集計値Ｃ（ｉ−１）を用いて、次の（１）式により求めることができる。
【００３０】
【数１】
2004362451.tif 000003
集計処理と急上昇度の算出処理終了後、マップ生成用データ生成処理部１１０にて、検索キーワードに対し、カテゴリ情報を付与し、カテゴリ毎に分類する分類処理を行う。
【００３１】
分類処理の方法としては、従来技術を用いてカテゴリ分類処理を行い、検索キーワードログ情報である検索キーワード全てに対し、カテゴリ情報格納部１１１に格納されている、シソーラスのような語彙の分類集を利用して分類し、カテゴリ名、検索キーワードログ情報である検索キーワード、検索キーワードの使用回数の集計値からなる検索キーワード分類データの生成を行う。
【００３２】
例えば、カテゴリ名が「トラベル」の分類があった場合、検索キーワード『東京』『ホテル』は、カテゴリ名が「トラベル」に分類され、この場合の検索キーワード分類データは、下記（２）のとおりに生成される。
【００３３】
＜マップ生成用データ＞
カテゴリ名、検索キーワード、使用回数の集計値、急上昇度
トラベル、東京、８７８９，０．１１
トラベル、ホテル、５９０９，０．３４                  ・・・（２）
・・・・・・・・・
次に、表示画面制御部１１３での検索キーワードの配置場所の決定方法について説明する。ここで、本実施の形態で扱うカテゴリ数は、ｍ件とし、各カテゴリ内に配置できる検索キーワードの総数は、ｎ件とする（ｍ，ｎは整数）。
【００３４】
図４は、本発明の第１の実施の形態におけるカテゴリに属するキーワード選択手順と配置手順を示すフローチャートである。
【００３５】
具体的な手法は以下の通りである。まず、上記（２）の検索キーワード分類データを急上昇度の高い順にソートし、上位Ｎ件の急上昇キーワードを各カテゴリに分類する（ステップ１０１，１０２）。分類した急上昇キーワードから急上昇度の高いもの上位ｓ件（ｓは整数）を選択する（ステップ１０３）。
【００３６】
次に、検索キーワードを使用回数の多い順にソートし、上位Ｍ件の検索キーワードをカテゴリ分類する（ステップ１０４，１０５）。カテゴリ分類した検索キーワードから使用回数の多いもの上位（ｎ−ｓ）件を選択する（ステップ１０６）（ｎ，ｓは整数）。
【００３７】
こうして選択された各カテゴリの急上昇キーワードｓ件と検索キーワード（ｎ−ｓ）件を基に図５に示すようなマップデータを作成する。なお、マップデータ中の各カテゴリに属する急上昇キーワードと検索キーワードのユーザクライアント１０１上での表示位置をＰｏｓ（ｎ）と表現することとする。この表示位置Ｐｏｓ（ｎ）は、予め急上昇キーワードであれば急上昇度、検索キーワードであれば使用回数の集計値に応じて決められており、例えば、カテゴリＣａｔ（ｍ）に属する検索キーワードＫｗ（ｍ，ｎ）の２次元上での配置情報Ｚは、Ｚ（ｍ，ｎ）で表す。そして、この２次元上での配置情報を基に、詳細表示時の表示位置と代表表示時の位置を決定する。代表表示は、詳細表示の中からＰｏｓ（１）と、Ｐｏｓ（ｓ＋１）の配置位置にあるキーワードを代表キーワードとして表示する。これにより、代表表示と詳細表示の双方において、カテゴリ内での代表キーワードの位置が固定される。
【００３８】
図６は、本発明の第１の実施の形態におけるユーザ利用時の処理のフローチャートである。
【００３９】
ユーザがユーザクライアント１０１の画面上に表示されている処理開始のボタンを押下することにより、ユーザクライアント１０１からアクセス情報提供サーバ１０４へマップ生成用データを要求するメッセージデータが送信される（ステップ２０１）。
【００４０】
アクセス情報提供サーバ１０４では、このメッセージを受信すると、マップ生成用データ格納部１０９よりマップ生成用データを読み出し、通信処理部１０６からユーザクライアント１０１へ送信する（ステップ２０２，２０３）。
【００４１】
ステップ２０３の処理が終了すると、ユーザクライアント１０１の表示画面制御部１１３では、受信したマップ生成用データが解析され、図５に示した詳細表示時のマップデータが各カテゴリ分作成される。作成した詳細表示時のマップデータが作成され、画面出力処理部１１４を介して、画面上に図７（Ａ）に示すように代表画面が表示される。また、マップデータ中における全検索キーワードの急上昇度の高いもの上位ｎ件には、『急上昇』アイコンが表示される。さらに、検索キーワード使用回数の多いものほど、文字サイズが大きく表示され、低いものほど小さく表示といった文字サイズの大小の表現により、利用状況が表示される（ステップ２０４，２０５）。
【００４２】
この画面上で、カテゴリ名の付いたラベルを選択すると、選択されたカテゴリの作成済み詳細表示時のマップデータと非選択カテゴリの代表表示マップデータから構成される図７（Ｂ）に示す画面が、画面出力処理部１１４を介して、画面上に表示される。ここで、代表表示と詳細表示の画面の切替は、アニメーションにより代表表示から詳細表示へ連続的に遷移するものとする。画面の遷移方法については、本発明の要旨ではないのでその説明を省略する。
【００４３】
この詳細表示画面において、ユーザが任意の検索キーワードを１つ選択すると、選択された検索キーワードに対するキーワード検索要求メッセージが検索エンジン１０５へ送信される（ステップ２０７）。検索エンジン１０５では、検索要求メッセージを受信し（ステップ２０８）、『京都』に対するキーワード検索処理が行われる（ステップ２０９）。検索エンジン１０５にて検索処理が行われた検索結果は、ユーザクライアント１０１へ送信され、ユーザクライアント１０１にて受信され（ステップ２１０）、図８に示すように、検索結果がユーザクライアント１０１上に表示される（ステップ２１１）。図８では、図７（Ｂ）における『京都』を選択した場合の検索結果を示している。
【００４４】
ユーザクライアント１０１の画面上に表示された検索結果からユーザが閲覧を希望するマルチメディアコンテンツを選択すると（ステップ２１２）、コンテンツ提供サーバ１０３へ該当するマルチメディアコンテンツのデータを要求するためのメッセージを送信する。コンテンツ提供サーバ１０３では、当該メッセージを受信すると（ステップ２１３）、該当するマルチメディアコンテンツデータをユーザクライアント１０１へ配信する（ステップ２１４）。ユーザクライアント１０１では、当該マルチメディアコンテンツデータが受信され（ステップ２１５）、画面上でマルチメディアコンテンツが表示される（ステップ２１６）。
【００４５】
［第２の実施の形態］
図９は、本発明の第２の実施の形態におけるシステム構成を示す。同図に示すシステムは、コンテンツ及び検索キーワードに対する利用状況を参照するためのユーザクライアント７０１、コンテンツの実体を提供するコンテンツ提供サーバ７０３、利用状況をユーザクライアント７０１へ提供するための利用状況提供サーバ７０４、キーワード検索を行うための検索エンジン７０５から構成され、これらは、インターネット網７０２を介して接続されている。但し、これは、インターネット網７０２に限定されるものではなく、ＷＡＮやＬＡＮといった閉じたネットワーク網を利用してもよい。
【００４６】
利用状況提供サーバ７０４は、ユーザクライアント７０１上で表示されている検索キーワード群からユーザによって選択された検索キーワード及び、通常のキーワード検索時に検索エンジン７０５へ入力された検索キーワードとをログ情報として格納する検索キーワードログ情報処理部７０７、任意の期間における検索キーワードの使用回数の集計と急上昇度の算出を行うアクセス情報集計処理部７０８、検索キーワード群をカテゴリ情報に基づき各カテゴリに分類し、分類された各検索キーワード群に２次元上の配置情報と各検索キーワードの使用回数の集計値と急上昇度を付与することにより、マップ生成用データの生成処理を行う、マップ生成用データ生成部７１０、生成されたマップ生成用データを格納しておくマップ生成用データ格納部７０９、ユーザクライアント７０１との通信処理を行う通信処理部７０６、検索キーワードの属するカテゴリ情報が格納されているカテゴリ情報格納部７１１、ユーザクライアント７０１の表示画面上に提示するマップ内における検索キーワードの配置場所の決定と代表表示／詳細表示の切り替え処理を行う表示画面制御部７１２から構成される。
【００４７】
ユーザクライアント７０１は、コンテンツ提供サーバ７０３とアクセス状況提供サーバ７０４と検索エンジン７０５との通信処理を行う通信処理部７１３、検索キーワードのマップ表示と検索エンジン７０５からの検索結果とコンテンツ提供サーバ７０３から提供されるコンテンツの表示処理を行う画面出力処理部７１４、ユーザからの入力操作を受信する入力処理部７１５から構成される。
【００４８】
本実施の形態におけるマップ生成用データの生成方法は、前述の第１の実施の形態と同じであるため省略する。
【００４９】
また、表示画面制御部７１２での検索キーワードの配置場所の決定方法についても第１の実施の形態と同じであるため、省略する。
【００５０】
図１０は、本発明の第２の実施の形態におけるユーザ利用時における処理のフローチャートである。
【００５１】
ユーザがユーザクライアント７０１の画面上に表示されている処理開始のボタンを押下することにより、ユーザクライアント７０１からアクセス情報提供サーバ７０４へ代表表示画面データを要求するメッセージデータが送信される（ステップ７０１）。
【００５２】
アクセス情報提供サーバ７０４では、このメッセージを受信すると、マップ生成用データ格納部７０９よりマップ生成用データを読み出し、表示画面制御部７１２にてマップ生成用データが解析され、図５に示した詳細表示時のマップデータが各カテゴリ分作成され、通信処理７０６からユーザクライアント７０１へ送信する（ステップ７０２，７０３）。
【００５３】
ユーザクライアント７０１では、受信した代表表示画面データが画面出力処理部７１４を介し、画面上に図７（Ａ）に示すように表示される。また、マップデータ中における全検索キーワードの急上昇度の高いもの上位ｎ件には、『急上昇』アイコンが表示される。さらに、検索キーワード使用回数の集計値の多いものほど、文字サイズが大きく表示され、低いものほど小さく表示するといった文字サイズの大小の表現により、利用状況が表示される（ステップ７０４，７０５）。
【００５４】
この代表画面上で、カテゴリ名のついたラベルを選択すると、選択されたカテゴリを詳細表示するメッセージが入力処理部７１５を介し、通信処理部７１３からアクセス状況提供サーバ７０４へ送信される（ステップ７０６）。
【００５５】
アクセス状況提供サーバ７０４では、当該メッセージを受信すると（ステップ７０７）、表示画面制御部７１２は、マップ生成データ格納部７０９から選択されたカテゴリの作成済み詳細表示時のマップデータを読み出し、詳細表示用画面データを作成する（ステップ７０８）。作成された詳細表示用画面データは、ユーザクライアント７０１へ送信される（ステップ７０９）。
【００５６】
ユーザクライアント７０１では、詳細表示用画面データを受信すると（ステップ７１０）、画面出力処理部１１４を介して、画面上に図７（Ｂ）に示すように詳細表示される。この画面において、ユーザが任意の検索キーワードを１つ選択すると、選択された検索キーワードに対するキーワード検索要求メッセージが検索エンジン７０５へ送信される（ステップ７１２）。
【００５７】
検索エンジン１０５では、検索要求メッセージを受信し（ステップ７１３）、『京都』に対するキーワード検索処理が行われる（ステップ７１４）。検索エンジン７０５にて検索処理が行われた検索結果は、ユーザクライアント７０１へ送信され、ユーザクライアント７０１にて受信され（ステップ７０５）、図８に示すように検索結果がユーザクライアント７０１上に表示される（ステップ７１６）。本実施の形態では、図７（Ｂ）における『京都』を選択した場合の検索結果を図８に示すように表示する。
【００５８】
ユーザクライアント７０１の画面上に表示された検索結果からユーザが閲覧を希望するマルチメディアコンテンツを選択すると（ステップ７１７）、コンテンツ提供サーバ７０３へ該当するマルチメディアコンテンツのデータを要求するためのメッセージを送信する。コンテンツ提供サーバ７０３では、該メッセージを受信すると（ステップ７１８）、該当するマルチメディアコンテンツデータをユーザクライアント７０１へ配信する（ステップ７１９）。ユーザクライアント７０１では、当該マルチメディアコンテンツデータが受信され（ステップ７２０）、画面上でマルチコンテンツが表示される（ステップ７２０）。
【００５９】
また、上記の第１の実施の形態及び第２の実施の形態において、ユーザクライアント、アクセス状況提供サーバで行う処理について説明したが、一つの装置内で実施してもよい。
【００６０】
また、一つの装置で実施する場合に、ユーザがキーワード検索で入力した検索キーワードを収集し、検索キーワードログとして保持する記憶手段に格納する検索キーワードログ情報処理ステップと、当該記憶手段から検索キーワードログを読み出して、検索キーワードの使用回数の集計値、及び急上昇度を求める評価値算出ステップと、予め用意された検索キーワードを特定のカテゴリに分類するためのカテゴリ体系に基づいて、検索キーワードが属するカテゴリを求めるカテゴリ分類ステップと、検索キーワードのカテゴリ別に、使用回数の集計値の上位ｓ件と、急上昇度の上位（ｎ−ｓ）件を該カテゴリの表示領域に表示する表示制御ステップと、をコンピュータに実行させるプログラムを構築することも可能である。また、上記と同様に、使用回数の集計値及び急上昇度を基準として、検索キーワードの文字の大きさや色、フォント等の文字属性やアイコン表示で識別表示するステップを含むように構成してもよい。
【００６１】
また、構築されたプログラムを検索キーワード情報表示装置として利用されるコンピュータにインストールし、ＣＰＵ等の制御手段により実行する、または、ネットワークを介して流通させることも可能である。
【００６２】
また、構築されたプログラムを検索キーワード情報表示装置として利用されるコンピュータに接続されるハードディスク装置や、フレキシブルディスク、ＣＤ−ＲＯＭ等の可搬記憶媒体に格納しておき、コンピュータにインストールして実行することも可能である。
【００６３】
また、本発明は、上記の実施の形態に限定されることなく、特許請求の範囲内において、種々変更・応用が可能である。
【発明の効果】
上述のように本発明によれば、ユーザが入力した検索キーワードをトレンド情報と見做し、カテゴリ別に分類して２次元マップ上に表示することにより、全体像を容易に把握することができるようになると共に、カテゴリ情報からユーザが興味のあるカテゴリにあるトレンド情報を容易に選択することができる。
【００６４】
また、２次元マップを採用することで、多数の検索キーワードを１つの表示画面内に収め、一覧性を確保し、検索の手間を軽減することが可能となる。
【図面の簡単な説明】
【図１】本発明の原理を説明するための図である。
【図２】本発明の原理構成図である。
【図３】本発明の第１の実施の形態におけるシステム構成図である。
【図４】本発明の第１の実施の形態におけるカテゴリに属するキーワード選択手順と配置手順のフローチャートである。
【図５】本発明の第１の実施の形態におけるマップデータとマップ表示の関係を示す図である。
【図６】本発明の第１の実施の形態におけるユーザ利用時の処理のフローチャートである。
【図７】本発明の第１の実施の形態における画面の例である。
【図８】本発明の第１の実施の形態における検索結果の例である。
【図９】本発明の第２の実施の形態におけるシステム構成図である。
【図１０】本発明の第２の実施の形態におけるユーザ利用時の処理のフローチャートである。
【符号の説明】
１０１  ユーザクライアント装置
１０２  インターネット網
１０３  コンテンツ提供サーバ
１０４  アクセス状況提供サーバ
１０５  検索エンジン
１０６  通信処理部
１０７  検索キーワードログ情報処理手段、検索キーワードログ情報処理部
１０８  評価値算出手段、アクセス情報集計処理部
１０９  マップ生成用データ格納部
１１０  マップ生成用データ生成部
１１１  カテゴリ情報格納部
１１２  通信処理部
１１３  表示制御手段、表示制御部
１１４  画面出力処理部
１１５  入力処理部
１１６  記憶手段
１１８  カテゴリ分類手段
２０１  マップ表示用検索キーワードデータ一覧
２０２  カテゴリ名
２０３  上位ｓ件の急上昇度検索キーワード
２０４  上位ｎ−ｓ件の検索キーワード
２０５  表示位置
２０６  ユーザクライアント上における検索キーワードの表示位置（詳細表示時）
２０７  ユーザクライアント上における検索キーワードの表示位置（代表表示時）
４０１  カテゴリサークル
４０２  使用回数の集計値が高い検索キーワード
４０３  カテゴリ名ラベル
４０４  急上昇識別アイコン
４０５  使用回数の集計値が低い検索キーワード
５０１  検索結果一覧
７０１  ユーザクライアント装置
７０２  インターネット網
７０３  コンテンツ提供サーバ
７０４  アクセス状況提供サーバ
７０５  検索エンジン
７０６  通信処理部
７０７  検索キーワードログ情報処理部
７０８  アクセス情報集計処理部
７０９  マップ生成用データ格納部
７１０  マップ生成用データ生成部
７１１  カテゴリ情報格納部
７１２  表示画面制御部
７１３  通信処理部
７１４  画面出力処理部
７１５  入力処理部
【図１】
2004362451.tif 000004
【図２】
2004362451.tif 000005
【図３】
2004362451.tif 000006
【図４】
2004362451.tif 000007
【図５】
2004362451.tif 000008
【図６】
2004362451.tif 000009
【図７】
2004362451.tif 000010
【図８】
2004362451.tif 000011
【図９】
2004362451.tif 000012
【図１０】
2004362451.tif 000013
【手続補正書】
【提出日】平成15年7月16日(2003.7.16)
【手続補正１】
【補正対象書類名】図面
【補正対象項目名】図５
【補正方法】変更
【補正の内容】
【図５】
2004362451.tif 000014